(57)【要約】早送りモード及び巻戻しモード時に再生されるビデオ信号から複数のビデオフレームを捕捉可能なビデオフレームグラバが開示される。再生されるビデオ信号内のクローズドキャプションテキストを検出可能であるクローズドキャプション検出器が設けられる。メモリが設けられて、検出されたクローズドキャプションテキストと複数のキーフレームが格納される。キーフレームは、検出されたクローズドキャプションテキストに対応する、ビデオフレームグラバによって捕捉されたビデオフレームのうちの選択されたものである。ビデオプロセッサは、クローズドキャプションテキストの第１の行と、クローズドキャプションテキストの第１の行に対応する少なくとも１つのキーフレームを取出しし、そのクローズドキャプションテキストの第１の行を、キーフレームと共に表示画面上に表示する。
2004511972.tif 000002
【特許請求の範囲】
【請求項１】
ビデオ再生装置に使用し、早送りモード及び巻戻しモード時に、上記ビデオ再生装置に接続される表示画面上にクローズドキャプションテキストを表示する機器であって、
早送りモード及び巻戻しモード時に再生されるビデオ信号から複数のビデオフレームを捕捉可能なビデオフレームグラバと、
上記再生されるビデオ信号内のクローズドキャプションテキストを検出可能なクローズドキャプションテキスト検出器と、
上記検出されるクローズドキャプションテキスト、及び、上記ビデオフレームグラバによって捕捉される上記複数のキーフレームから選択され、上記検出されるクローズドキャプションテキストに対応する複数のキーフレームを格納するメモリと、
クローズドキャプションテキストの第１の行、及び、上記クローズドキャプションテキストの第１の行に対応する少なくとも１つのキーフレームを上記メモリから取出しし、上記クローズドキャプションテキストの第１の行及び上記少なくとも１つのキーフレームを上記表示画面上に表示可能なビデオプロセッサとを含む機器。
【請求項２】
上記ビデオプロセッサは、上記表示画面上の選ばれたウィンドウにおいて複数の行のクローズドキャプションテキストを表示可能である請求項１記載の機器。
【請求項３】
上記ビデオプロセッサは、上記表示画面上の上記選ばれたウィンドウにおいて上記複数の行のクローズドキャプションテキストをスクロールさせることが可能である請求項２記載の機器。
【請求項４】
上記ビデオプロセッサは、上記表示画面の第１の部分に第１のキーフレームを、上記表示画面の第２の部分に第２のキーフレームを表示可能である請求項１記載の機器。
【請求項５】
上記ビデオプロセッサは、上記表示画面上の選ばれたウィンドウに上記クローズドキャプション行テキストの第１の行が現れるとき、上記表示画面上の上記第１の部分に上記第１のキーフレームを表示可能である請求項４記載の機器。
【請求項６】
上記ビデオプロセッサは、上記表示画面上の上記選ばれたウィンドウにおいて、上記クローズドキャプション行テキストの第１の行が新しい位置にスクロールされるとき、上記表示画面の上記第２の部分に上記第１のキーフレームを表示可能である請求項５記載の機器。
【請求項７】
上記ビデオプロセッサは、上記ビデオ再生装置のユーザから受信したコマンドによって決められる可変速度で、上記表示画面上にクローズドキャプションテキストの行とキーフレームを表示可能である請求項１記載の機器。
【請求項８】
複数のビデオ信号を格納可能な記憶デバイスと、
上記記憶デバイスに格納される第１の選択ビデオ信号を取出しし、上記第１の選択ビデオ信号から、ビデオ再生装置に接続される表示画面上に表示可能な再生ビデオ信号を生成可能なビデオ再生回路とを含むビデオ再生装置であって、
請求項１に記載の機器を更に含む装置。
【請求項９】
ビデオ再生装置に使用し、早送りモード及び巻戻しモード時に、上記ビデオ再生装置に接続される表示画面上にクローズドキャプションテキストを表示する方法であって、
早送りモード及び巻戻しモード時に再生されるビデオ信号から複数のビデオフレームを捕捉する段階と、
上記再生されるビデオ信号内のクローズドキャプションテキストを検出する段階と、
上記検出されるクローズドキャプションテキスト、及び、上記複数のキーフレームから選択され、上記検出されるクローズドキャプションテキストに対応する複数のキーフレームをメモリに格納する段階と、
クローズドキャプションテキストの第１の行、及び、上記クローズドキャプションテキストの第１の行に対応する少なくとも１つのキーフレームを上記メモリから取出し、上記クローズドキャプションテキストの第１の行及び上記少なくとも１つのキーフレームを上記表示画面上に表示する段階とを含む方法。
【請求項１０】
上記ビデオプロセッサは、上記表示画面上の選ばれたウィンドウにおいて複数の行のクローズドキャプションテキストを表示可能である請求項９記載の方法。
【請求項１１】
上記表示画面上の上記選ばれたウィンドウにおいて上記複数の行のクローズドキャプションテキストをスクロールさせる段階を更に含む請求項１０記載の方法。
【請求項１２】
上記表示画面の第１の部分に第１のキーフレームを、上記表示画面の第２の部分に第２のキーフレームを表示する段階を更に含む請求項９記載の方法。
【請求項１３】
上記表示画面上の選ばれたウィンドウに上記クローズドキャプション行テキストの第１の行が現れるとき、上記表示画面上の上記第１の部分に上記第１のキーフレームを表示する段階を更に含む請求項１２記載の方法。
【請求項１４】
上記表示画面上の上記選ばれたウィンドウにおいて、上記クローズドキャプション行テキストの第１の行が新しい位置にスクロールされるとき、上記表示画面の上記第２の部分に上記第１のキーフレームを表示する段階を更に含む請求項１３記載の方法。
【請求項１５】
上記ビデオ再生装置のユーザから受信したコマンドによって決められる可変速度で、上記表示画面上にクローズドキャプションテキストの行とキーフレームを表示する段階を更に含む請求項９記載の方法。
【発明の詳細な説明】
【０００１】
［発明の属する技術分野］
本発明は一般的に、ビデオ再生装置、及び、より詳細には、クローズドキャプションテキスト及び関連のビデオを早送り及び巻戻しモード時に表示するシステムに関する。
【０００２】
［発明の背景］
様々な種類のビデオ再生装置が市場において入手可能である。多くの人は、ビデオテープレコーダ（ＶＴＲ）とも称されるビデオカセットレコーダ（ＶＣＲ）を所有するか又はよく知っている。最近では、磁気カセットテープではなくコンピュータ磁気ハードディスクを使用してビデオプログラムを格納するビデオレコーダが登場した。例えば、ＲｅｐｌａｙＴＶ（商標）レコーダ及びＴｉＶＯ（商標）レコーダは、例えば、ＭＥＰＧ−２圧縮を使用してハードディスク上にテレビ番組をデジタル記録する。更に、一部のビデオ再生装置は、磁気ディスクではなく、読み書き可能なデジタル・バーサトル・ディスク（ＤＶＤ）に記録する。
【０００３】
クローズドキャプションサービスはテレビ番組では広く使用され、オーディオ音声セグメントに対するテキスト原稿を与える。騒々しい環境にいる視聴者や聴覚障害者は、このような機能を特に有用に感じる。テキストは一般的に、テレビ画面の下部のボックス内に表示される。放送を記録した後、ユーザはテープ又はディスクに記録した物の見たい箇所又はセグメントを探し出すことを望むであろう。ユーザは、コマーシャルをスキップしたり、記録された放送の中の所望のシーンを見つけることを望むであろう。セグメントを探し出す従来の方法は、「早送り」又は「巻戻し」（両方とも高速の再生モードと考えられる）を介して行われ、これは、ビデオ情報をそれぞれ前方向及び後方向へ加速することである。
【０００４】
従来のＶＣＲ及びデジタル再生装置では、早送り及び巻戻しモードでは、クローズドキャプション機能は通常無効にされ、よくても、高速でサンプルフレームのみが表示されるだけである。これは、障害者がテキスト情報にアクセスすることができなくなるだけでなく、ビデオのブラウジング品質を高め得るコンテンツの重要且つ貴重な情報源を無駄にしてしまうことになる。
【０００５】
従って、この技術において、早送り及び巻戻し時にテキストを見るためのシステムが必要である。更に、この技術において、高速再生モード時にビデオフレームとクローズドキャプションテキストを同期させる方法が必要である。
【０００６】
［発明の概要］
従来技術における上述したような欠点に対処するために、本発明は、記録テープ、ハードディスク、又は、半導体メモリを使用するビデオレコーダに使用するための、高速再生時にクローズドキャプションテキストを表示するシステム及び方法を提供することを主要の目的とする。早送りモード及び巻戻しモード時に再生されるビデオ信号から複数のビデオフレームを捕捉可能なビデオフレームグラバが開示される。再生されるビデオ信号内のクローズドキャプションテキストを検出可能であるクローズドキャプション検出器が設けられる。メモリが設けられて、検出されたクローズドキャプションテキストと複数のキーフレームが格納される。キーフレームは、検出されたクローズドキャプションテキストに対応する、ビデオフレームグラバによって捕捉されたビデオフレームのうちの選択されたものである。ビデオプロセッサは、クローズドキャプションテキストの第１の行と、クローズドキャプションテキストの第１の行に対応する少なくとも１つのキーフレームを取出しし、そのクローズドキャプションテキストの第１の行を、キーフレームと共に表示画面上に表示する。
【０００７】
本発明の有利な実施例では、ビデオプロセッサは、表示画面上の選ばれたウィンドウにおいてクローズドキャプションテキストの複数の行を表示可能である。
【０００８】
本発明の１つの実施例では、ビデオプロセッサは、表示画面上の選ばれたウィンドウにおいてクローズドキャプションテキストの複数の行をスクロールさせることができる。
【０００９】
本発明の別の実施例では、ビデオビデオプロセッサは、表示画面の第１の部分に第１のキーフレームを、表示画面の第２の部分に第２のキーフレームを表示可能である。
【００１０】
本発明の更なる実施例では、ビデオプロセッサは、表示画面上の選ばれたウィンドウにクローズドキャプション行テキストの第１の行が現れるとき、表示画面上の第１の部分に第１のキーフレームを表示可能である。
【００１１】
本発明の更なる実施例では、ビデオプロセッサは、表示画面上の選ばれたウィンドウにおいて、クローズドキャプション行テキストの第１の行が新しい位置にスクロールされるとき、表示画面の第２の部分に第１のキーフレームを表示可能である。
【００１２】
本発明の更なる実施例では、ビデオプロセッサは、ビデオ再生装置のユーザから受信したコマンドによって決められる可変速度で、表示画面上にクローズドキャプションテキストの行とキーフレームを表示可能である。
【００１３】
前記は、当業者が以下に示す本発明の詳細な説明を良好に理解できるよう本発明の特徴及び技術的な利点の概要をまとめたものである。本発明の追加の特徴及び利点は、以下に、本発明の特許請求の範囲の対象として説明する。当業者は、開示される概念及び特定の実施例を基礎として使用し、本発明の構造を変更する又は本発明と同じ目的を実行する他の構造を設計することが容易であることを理解するものとする。当業者は更に、そのような等価の構造は、本発明のその広義における目的及び範囲を逸脱しないことを認識するものとする。
【００１４】
詳細な説明に進む前に、本願に使用する特定の単語及び表現を定義付けすることが有利であると思われる。「含む」、「〜からなる」という用語、及び、それらの派生語は、非制限的な包含を指し、「又は」という用語は包含的であるので、「及び／又は」を指し、「関連付けられる」という用語、及び、その派生語は、含む、〜に含まれる、相互接続する、包含する、〜に包含される、接続する、結合する、〜という特性を有する、等を指す。また、「コントローラ」という用語は、少なくとも１つの動作を制御する任意の装置、システム、又は、システムの一部を指し、このような装置は、ハードウェア、ファームウェア、又は、ソフトウェア、若しくは、これらの少なくとも２つの組み合わせに組み込まれてもよい。尚、任意の特定のコントローラに関連付けられる機能性は、ローカル又はリモートで中央管理されても分配されてもよい。特に、コントローラは、１つ以上のアプリケーションプログラム及び／又はオペレーティングシステムプログラムを実行させる１つ以上のデータプロセッサ、関連付けられる入力／出力装置、及び、関連付けられるメモリを含む。特定の単語及び表現の定義は、本願全体を通して与えられており、当業者は、このような定義のうちの多くは、さもなければ、ほとんどは、定義される単語及び表面の従来のみならず将来における使用にも適用されることを理解するものとする。
【００１５】
［発明の詳細な説明］
本発明及びその利点をより完全に理解するために、添付図面と共に以下に説明を参照する。この説明では同様の符号は、同様の対象物を示す。
【００１６】
以下に説明する図１乃至図５、及び、本願において本発明の原理を説明するために使用する様々な実施例は、例示的に過ぎず、本発明の範囲を制限しないことを理解するものとする。当業者は、本発明の原理は、任意の好適に構成されるビデオ再生装置に組み入れられることを理解するものとする。
【００１７】
図１は、本発明の１つの実施例によるビデオ再生装置１５０及びテレビ受像機１０５を示す。ビデオ再生装置１５０は、外部情報源、例えば、ケーブルテレビジョンサービスプロバイダ（ケーブル会社）、ローカルアンテナ、インターネット、又は、ＤＶＤ若しくはＶＨＳテーププレーヤから入来テレビジョン信号を受信し、視聴者によって選択されるチャンネルをテレビ受像機１０５に送信する。記録モードでは、ビデオ再生装置１５０は入来無線周波数（ＲＦ）テレビジョン信号を変調してベースバンドビデオ信号を生成し、この信号は、ビデオ再生装置１５０内にあるか又は接続される記録媒体に記録及び格納される。再生モードでは、ビデオ再生装置１５０はユーザによって選択された格納ベースバンドビデオ信号（即ち、プログラム）を記録媒体から読出しし、それをテレビ受像機１０５に送信する。
【００１８】
例えば、ビデオ再生装置１５０が、ビデオテープレコーダ（ＶＴＲ）とも称されるビデオカセットレコーダ（ＶＣＲ）である場合、ビデオ再生装置１５０は、磁気カセットテープに入来テレビジョン信号を格納し、磁気カセットテープから入来テレビジョン信号を取出しする。ビデオ再生装置１５０が、例えば、ＲｅｐｌａｙＴＶ（商標）レコーダ又はＴｉＶＯ（商標）レコーダといったディスクドライブ型装置である場合、ビデオ再生装置１５０は、磁気カセットテープではなくコンピュータ磁気ハードディスクに入来テレビジョン信号を格納し、コンピュータ磁気ハードディスクから入来テレビジョン信号を取出しする。他の実施例では、ビデオ再生装置１５０は、ローカルの読み書き可能な（Ｒ／Ｗ）デジタル・バーサトル・ディスク（ＤＶＤ）又はＲ／Ｗ　ＣＤ−ＲＯＭに格納し且つローカルの読み書き可能な（Ｒ／Ｗ）デジタル・バーサトル・ディスク（ＤＶＤ）又はＲ／Ｗ　ＣＤ−ＲＯＭから取出ししてもよい。従って、ローカルの記録媒体は、固定されても（即ち、ハードディスクドライブ）又は着脱可能にされてもよい（即ち、ＤＶＤ、ＣＤ−ＲＯＭ）。
【００１９】
ビデオ再生装置１５０は、赤外線（ＩＲ）センサ１６０を含み、視聴者によって操作される遠隔制御装置からのコマンド（例えば、チャンネルの番号の制御、音量調節、記録、再生、早送り（ＦＦ）、及び、巻戻し等）を受信する。テレビ受像機１０５は従来のテレビジョンであって、画面１１０、赤外線（ＩＲ）センサ１１５、及び、１つ以上の手動制御部１２０（点線で示す）を含む。ＩＲセンサ１１５も、試聴者によって操作される遠隔制御装置からのコマンド（音量調節、電源オンオフ等）を受信する。
【００２０】
尚、ビデオ再生装置１５０は特定の種類の情報源からの特定の種類の入来テレビジョン信号を受信するのに制限されるわけではない。上述したように、外部情報源は、ケーブルサービスプロバイダ、従来のＲＦ放送アンテナ、衛星放送受信アンテナ、インターネット接続、又は、例えば、ＤＶＤプレーヤ又はＶＨＳテーププレーヤといった他のローカル記録装置であってもよい。一部の実施例では、ビデオ再生装置１５０は、記録することはできないが、着脱可能なＤＶＤ又はＣＤ−ＲＯＭから取出しされるテレビジョン信号を再生することだけが可能な場合がある。従って、入来信号はデジタル信号、アナログ信号、又は、インターネットプロトコル（ＩＰ）パケットであってよい。しかし、本発明の原理の説明を、単純且つ明快にするよう、以下の説明は、ビデオ再生装置１５０はケーブルサービスプロバイダから入来テレビジョン信号（アナログ及び／又はデジタル）を受信する実施例に関連する。しかし、当業者は、本発明の原理は、無線放送テレビジョン信号、ローカル記録システム、ＭＥＰＧデータを含むＩＰパケットの入来ストリーム等に共に容易に適用できることを理解するものとする。
【００２１】
図２は、本発明の１つの実施例によるビデオ再生装置１５０をより詳細に示す図である。ビデオ再生装置１５０は、ＩＲセンサ１６０、ビデオプロセッサ２１０、ＭＰＥＧ２エンコーダ２２０、ハードディスクドライブ２３０、ＭＥＰＧ２デコーダ／ＮＴＳＣエンコーダ２４０、及び、ビデオレコーダ（ＶＲ）コントローラ２５０を含む。ビデオ再生装置１５０は更に、フレームグラバ２６０、クローズドキャプション検出器２７０、及び、クローズドキャプションメモリ（又は、バッファ）２８０を含む。ＶＲコントローラ２５０は、ビデオ再生装置１５０の全体の動作を管理し、全体の動作には、視聴モード、記録モード、再生モード、早送り（ＦＦ）モード、巻戻しモード等が含まれる。
【００２２】
視聴モードでは、ＶＲコントローラ２５０によって、ケーブルサービスプロバイダからの入来テレビジョン信号は、ビデオプロセッサ２１０によって変調且つ処理され、ハードディスクドライブ２３０に格納又はハードディスクドライブ２３０から取出しされることなく、テレビ受像機１０５に送信される。ビデオプロセッサ２１０は、例えば、ＴｒｉＭｅｄｉａ（ＴＭ）１１００メディアプロセッサであり、無線周波数（ＲＦ）フロントエンド回路を含み、これは、ケーブルサービスプロバイダから入来テレビジョン信号を受信し、ユーザによって選択されるチャンネルに合わせ、選択されたＲＦ信号を、テレビ受像機１０５に表示するのに好適なベースバンドテレビジョン信号（例えば、スーパビデオ信号）に変換する。ビデオプロセッサ２１０は更に、ＭＰＥＧ２でコーダ／ＮＴＳＣエンコーダ２４０からの従来のＮＴＳＣ信号及びＣＣメモリ２８０からのビデオフレームを受信し、ベースバンドテレビジョン信号（例えば、スーパビデオ信号）をテレビ受像機１０５に送信することができる。
【００２３】
記録モードでは、ＶＲコントローラ２５０によって、入来テレビジョン信号はハードディスクドライブ２３０に格納される。ＶＲコントローラ２５０の制御下で、ＭＰＥＧ２エンコーダ２２０は、ケーブルサービスプロバイダから入来テレビジョン信号を受信し、受信したＲＦ信号をＭＰＥＧフォーマットに変換し、ハードディスクドライブ２３０に格納する。再生モードでは、ＶＲコントローラ２５０は、ハードディスクドライブ２３０を制御し、格納されたテレビジョン信号（即ち、番組）をＭＰＥＧ２デコーダ／ＮＴＳＣエンコーダ２４０に流すようにする。ＭＰＥＧ２デコーダ／ＮＴＳＣエンコーダ２４０は、ハードディスクドライブ２３０からのＭＥＰＧ２データを、例えば、スーパビデオ（Ｓビデオ）信号に変換し、これは、ビデオプロセッサ２１０によってテレビ受像機１０５に送信される。
【００２４】
尚、ＭＰＥＧ２エンコーダ２２０及びＭＥＰＧ２デコーダ／ＮＴＳＣエンコーダ２４０に使用するＭＥＰＧ２規格は例示的に過ぎない。本発明の別の実施例では、ＭＰＥＧエンコーダ及びデコーダは、ＭＥＰＧ１、ＭＰＥＧ２、ＭＰＥＧ４、及び、ＭＰＥＧ７規格のうち１つ以上に準拠し得る。
【００２５】
本願及び本発明の特許請求の範囲の目的において、ハードディスクドライブ２３０は、任意の読み書き可能な大容量記憶装置を含むものとし、この大容量記憶装置には、読み書き用デジタル・バーサトル・ディスク（ＤＶＤ−ＲＷ）、書換え可能なＣＤ−ＲＯＭ、ＶＣＲテープ等用の従来の磁気ディスクドライブ及び光学ディスクドライブが含まれる。実際に、その意味で、ハードディスク装置２３０は従来のように、ビデオ再生装置１５０に永久的に埋め込まれて固定される必要はない。むしろ、ハードディスクドライブ２３０は、記録ビデオプログラムを格納するための任意の大容量装置を含む。従って、ハードディスクドライ２３０は、取り付け有れる周辺ドライブ又は着脱可能なディスクドライブ（埋め込まれていても、取り付けられていてもよい）を含み、例えば、読み書き用ＤＶＤ又は書換え可能なＣＤ−ＲＯＭを含むジュークボックス装置が挙げられる。更に、本発明の有利な実施例では、ハードディスクドライブ２３０は、ビデオ再生装置１５０がネットワーク接続（例えば、インターネットプロトコル（ＩＰ）接続）を介しアクセスし制御する外部大容量記憶装置を含んでもよく、例えば、ユーザの家庭用パーソナルコンピュータ（ＰＣ）におけるディスクドライブ、又は、ユーザのインターネットサービスプロバイダ（ＩＳＰ）のサーバ上のディスクドライブが挙げられる。
【００２６】
再生モードでは、ＶＲコントローラ２５０は、ＩＲセンサ１６０を介しユーザから早送り（ＦＦ）又は巻戻しコマンドを受信する。早送り又は巻戻しモードでは、ビデオ再生装置１５０は、フレームグラバ２６０、クローズドキャプション検出器２７０、及び、クローズドキャプションメモリ２８０を使用してテレビ画面上のクローズドキャプション（ＣＣ）ウィンドウにクローズドキャプションテキストを表示できる。早送り又は巻戻しコマンドを受信すると、ＶＲコントローラ２５０によって、ハードディスクドライブ２３０及びＭＰＥＧ２デコーダ／ＮＴＳＣエンコーダ２４０が、適宜、早送り又は巻戻し速度でビデオを再生する。しかし、ＶＲコントローラ２５０は更に、ビデオプロセッサに命令し、ＭＰＥＧ２デコーダ／ＮＴＳＣエンコーダ２４０の出力をビデオ信号の供給源として受信することを止めさせる。その代わり、ビデオプロセッサ２１０は、ビデオ信号の供給源として、ＣＣメモリ２８０の出力からビデオフレームを受信するよう切替えられる。
【００２７】
フレームグラバ２６０は、ＭＰＥＧ２デコーダ／ＮＴＳＣエンコーダ２４０の出力からのビデオフレームを捕捉し格納する。ＣＣ検出器２７０は、ＭＰＥＧ２デコーダ／ＮＴＳＣエンコーダ２４０のＮＴＳＣ出力信号中のＣＣテキストを検出する。ＣＣテキストは、一般的に、ビデオ信号の行２１の終わりの帰線期間に挿入される。以下に詳細に説明するように、ＣＣ検出器２７０は、ＣＣデータの各行に関連付けられるタイムスタンプを使用し、ＣＣテキストに対応するビデオの選択されるキーフレームを識別する。ＣＣ検出器２７０はＣＣテキストの各行とタイムスタンプをＣＣメモリ２８０内に格納し、フレームグラバ２６０は、ＣＣテキストの各行に対する選択されるビデオフレームをＣＣメモリ２８０内に格納する。その後、キーフレーム及びＣＣテキストは、ユーザによって選択される速度及び再生方向（早送り又は巻戻し）に応じてビデオプロセッサ２１０に転送される。ビデオプロセッサ２１０は、キーフレームを一連の静止フレームとして再生し、これは、対応するＣＣテキストと同時にテレビジョン画面１１０上に現れる。
【００２８】
図３は、本発明の１つの実施例に従って、クローズドキャプションテキスト及び関連付けられるビデオフレームが表示されるテレビジョン画面１１０を示す。テレビジョン画面１１０は、フレームＡ及びフレームＢとそれぞれ名付けられるビデオフレーム３１０及び３１５を対として、テレビジョン画面１１０の上部に表示する。クローズドキャプションテキストは、テレビジョン画面１１０の下部のＣＣテキストウィンドウ３０５内でスクロールされる。フレームの表示位置は任意であるので、フレーム及びテキストウィンドウは、テレビジョン画面１１０のどのような位置にも配置される。
【００２９】
ＣＣテキストの行はＣＣテキストウィンドウ３０５の中をスクロールするが異なる速度でスクロールされる場合がある。というのは、各行は、同期スキーム（例えば、キーフレームとＣＣテキストを、それぞれのタイムスタンプを合わせることによって同期させる）に応じて適切なキーフレームと同期されるからである。早送り又は巻戻しモードであるかに応じて、フレームは、スクリーンの１つの側からもう１つの側に動き、新しいフレームはＣＣテキストがスクロールするに連れてロードされる。２つのキーフレームを同時に表示することによって、ビデオ表示に連続性が与えられ、画面空間を有効に使用することができる。
【００３０】
本発明では、ユーザは、早送り又は巻戻しボタンを数回押して、早送り及び巻戻しの速度を指示する。ＣＣテキストの各行のタイムスタンプデータを使用して、ＣＣテキストの当該の行に対しどのフレームが表示されるべきか決定する。特定のキーフレームは、固定のサンプリングレートで選び出されるか又は「最近隣」スキームによってキーフレームの所定のリストから選択される。早送り又は巻戻しモード時にユーザが「一時停止」を押すと、フレームＡ及びフレームＢにおける現在のビデオフレームは、その一時停止の間にそのままにされる。同様に、ＣＣテキストウィンドウ３０５をスクロールされるクローズドキャプションテキストも、ユーザが「一時停止」を押すと止められる。
【００３１】
図４は、本発明の１つの実施例におけるビデオ再生装置１５０におけるクローズドキャプションメモリ２８０のコンテンツを示す。クローズドキャプション（ＣＣ）メモリ２８０は、Ｎ行のクローズドキャプションテキストを格納し、これには、それぞれＣＣ行１、ＣＣ行２、ＣＣ行３、及び、ＣＣ行Ｎと名付けられる例示的なクローズドキャプション行４０１乃至４０４を含む。ＣＣメモリ２８０は更に、Ｎ個のタイムスタンプを格納し、これには、それぞれＴＳ１、ＴＳ２、ＴＳ３、及び、ＴＳＮと名付けられる例示的なタイムスタンプ４１１乃至４１４を含む。最後にＣＣメモリ２８０はＮ個のキーフレームを格納し、これには、キーフレーム１、キーフレーム２、キーフレーム３、及び、キーフレームＮとそれぞれ名付けられる例示的なキーフレーム４２１乃至４２４を含む。
【００３２】
ＴＳ１及びキーフレーム１は、ＣＣ行１に対応するタイムスタンプとキーフレームである。ＴＳ２及びキーフレーム２は、ＣＣ行２に対応するタイムスタンプ及びキーフレームである。ＴＳ３及びキーフレーム３は、ＣＣ行３に対応するタイムスタンプ及びキーフレームである。最後に、ＴＳＮ及びキーフレームＮは、ＣＣ行Ｎに対応するタイムスタンプ及びキーフレームである。
【００３３】
図５を参照するに、本発明の１つの実施例におけるビデオ再生装置１５０の動作の流れを示すフローチャート５００を示す。ＶＲコントローラ２５０は、ユーザが再生装置１５０を遠隔制御することによって早送りコマンドを受信するものとする（処理ステップ５０５）。フレームグラバ２６０は、次に、ビデオ媒体から全てのビデオフレームを格納し始める。更に、ＣＣ検出器２７０は、格納されるビデオフレームに対応するビデオ信号からクローズドキャプションテキストを検出する（処理ステップ５１０）。
【００３４】
次に、格納されたビデオフレームからキーフレーム選択され、ＣＣメモリ２８０内に格納される。キーフレームに追加して、テキスト行及びキーフレームに対するＣＣテキスト行及びタイムスタンプがＣＣメモリ２８０内に格納される（処理ステップ５１５）。ビデオプロセッサ２１０は、ＴＶの画面上に対応するＣＣテキストと共に１つ以上のキーフレームを、ユーザの遠隔制御による入力によって決められる速度及び再生方向で表示し始める。
【００３５】
ビデオを表示する少なくとも２つのフレームが、テレビジョン又は表示画面上に表示される。画面における別の所定の場所には、フレームが配置されて読取り可能なテキストとしてフレームからの音声が表示される。これらのフレームは、選択されたフレームであり、テキストは、表示されるフレームに対応する音声である。表示するためのキーフレームとテキストを選択することにより、特定の箇所を探し出すために記録物の全てのフレームをスクロールすることに関連する問題は、かなり少なくなる。
【００３６】
本発明を詳細に説明したが、当業者は、本発明及びその広義の解釈における目的及び範囲から逸脱することのない様々な変更、置換、及び、代替が可能であることを理解するべきである。
【図面の簡単な説明】
【図１】
本発明の１つの実施例による例示的なビデオ再生装置及びテレビ受像機を示す図である。
【図２】
本発明の１つの実施例による例示的なビデオ再生装置を詳細に示す図である。
【図３】
本発明の１つの実施例に従ってクローズドキャプションテキスト及び関連付けられるビデオフレームが表示されるテレビジョン画面を示す図である。
【図４】
本発明の１つの実施例による例示的なビデオ再生装置におけるクローズドキャプションメモリのコンテンツを示す図である。
【図５】
本発明の１つの実施例による例示的なビデオ再生装置の動作を示すフローチャートである。
【図１】
2004511972.tif 000003
【図２】
2004511972.tif 000004
【図３】
2004511972.tif 000005
【図４】
2004511972.tif 000006
【図５】
2004511972.tif 000007
【国際公開パンフレット】
2004511972.tif 000008
2004511972.tif 000009
2004511972.tif 000010
2004511972.tif 000011
2004511972.tif 000012
2004511972.tif 000013
2004511972.tif 000014
2004511972.tif 000015
2004511972.tif 000016
2004511972.tif 000017
2004511972.tif 000018
2004511972.tif 000019
2004511972.tif 000020
2004511972.tif 000021
2004511972.tif 000022
2004511972.tif 000023
2004511972.tif 000024
【国際公開パンフレット（コレクトバージョン）】
2004511972.tif 000025
【国際調査報告】
2004511972.tif 000026
2004511972.tif 000027